(57)【特許請求の範囲】
【請求項１】
製氷部に製氷用水を供給する水供給回路と、製氷部に冷媒を循環供給する冷凍回路を備えた製氷機において、前記冷凍回路の圧縮機、凝縮器等構成機器を収容する機械室内に、前記水供給回路に供給される水を浄化する浄水器を配設したことを特徴とする製氷機。
【請求項２】
機器本体に設けられて水道等の給水源に接続される接続具に前記浄水器の流入口が接続されるとともに、前記接続具から前記浄水器の流入口に至る給水路から分岐した分岐給水路を通して前記冷凍回路の構成機器に冷却水を供給可能としたことを特徴とする請求項１記載の製氷機。
【請求項３】
前記機械室の前方開口を前パネルによって開閉される構成とし、同機械室内に前記浄水器を脱着可能に配設し、同浄水器に接続される給水管として中間に湾曲部を有したフレキシブルな給水管を採用したことを特徴とする請求項１記載の製氷機。
【請求項４】
前記浄水器の流入側に開閉バルブを設けたことを特徴とする請求項１記載の製氷機。
【請求項５】
前記機械室の前方開口を前パネルによって開閉される構成とし、同機械室の前方開口側に前記浄水器を設けたことを特徴とする請求項１記載の製氷機。
【請求項６】
前記浄水器の交換可能部が前記前パネルによって開閉される前方開口に向けて突出するように前記浄水器を傾斜して配設したことを特徴とする請求項５記載の製氷機。
【発明の詳細な説明】
【０００１】
【発明の属する技術分野】
本発明は、例えばオーガ式製氷機等の製氷機に関する。
【０００２】
【従来の技術】
製氷機は、製氷部に製氷用水を供給する水供給回路と、製氷部に冷媒を循環供給する冷凍回路を備えていて、貯氷庫の上に設置されて使用され、前記水供給回路に供給される水を浄化する浄水器が付設されることがある。
【０００３】
【発明が解決しようとする課題】
ところで、従来は、ユーザーが必要に応じて浄水器を購入して、当該製氷機に外付けして使用している。このため、外気温度が低い場合には浄水器内部の水が凍結するおそれがある。なお、浄水器内部の水が凍結すると、その凍結によって浄水器内部の構成部材が損傷を受けることがあり、水の凍結が解除されても浄水器が的確に機能しないおそれがある。
【０００４】
また、当該製氷機に浄水器を外付けするに際して、当該製氷機が狭い厨房等小さい設置スペースに貯氷庫とともに設置される場合、本来立てて使用されるべき浄水器が床面上にころがした状態（横にした状態）で使用されることがある。このため、浄水器が十分に機能しないおそれがあるとともに、当該製氷機と浄水器間を長い配管で接続する必要があって、長い配管延長に伴うコスト高を強いられる。
【０００５】
【課題を解決するための手段】
本発明は、上記した問題に対処すべくなされたものであり、製氷部に製氷用水を供給する水供給回路と、製氷部に冷媒を循環供給する冷凍回路を備えた製氷機において、前記冷凍回路の圧縮機、凝縮器等構成機器を収容する機械室内に、前記水供給回路に供給される水を浄化する浄水器を配設したことに特徴がある（請求項１に係る発明）。
【０００６】
この場合において、機器本体に設けられて水道等の給水源に接続される接続具に前記浄水器の流入口が接続されるとともに、前記接続具から前記浄水器の流入口に至る給水路から分岐した分岐給水路を通して前記冷凍回路の構成機器に冷却水を供給可能とすること（請求項２に係る発明）、前記機械室の前方開口を前パネルによって開閉される構成とし、同機械室内に前記浄水器を脱着可能に配設し、同浄水器に接続される給水管として中間に湾曲部を有したフレキシブルな給水管を採用すること（請求項３に係る発明）、前記浄水器の流入側に開閉バルブを設けること（請求項４に係る発明）、前記機械室の前方開口を前パネルによって開閉される構成とし、同機械室の前方開口側に前記浄水器を設けること（請求項５に係る発明）、前記浄水器の交換可能部が前記前パネルによって開閉される前方開口に向けて突出するように前記浄水器を傾斜して配設すること（請求項６に係る発明）が望ましい。
【０００７】
【発明の作用・効果】
本発明による製氷機においては、機械室内に浄水器を配設したため、浄水器は機械室内に収容されている冷凍回路の圧縮機、凝縮器等構成機器から生じる熱によって保温される。したがって、外気温度が低い場合にも浄水器内部の水が凍結することはなく、浄水器は常に的確に作動する。
【０００８】
また、本発明による製氷機においては、機械室内に浄水器を配設するようにしたため、当該製氷機が狭い厨房等小さい設置スペースに貯氷庫とともに設置される場合にも、当該製氷機の機械室内に浄水器を立てた状態で設置することが可能であり、浄水器の機能を十分に発揮させることができるとともに、浄水器の付設に伴う配管延長を最小限としてコスト高を最小限に抑えることができる。
【０００９】
また、本発明の実施に際して、機器本体に設けられて水道等の給水源に接続される接続具に前記浄水器の流入口が接続されるとともに、前記接続具から前記浄水器の流入口に至る給水路から分岐した分岐給水路を通して前記冷凍回路の構成機器に冷却水を供給可能とした場合には、当該製氷機の据え付け時、給水源から接続具までの配管工事を行うことで据え付け配管工事を完了することができるため、据え付け配管工事を短時間にかつ容易・安価に行うことができる。
【００１０】
また、前記機械室の前方を前パネルによって開閉される構成とし、同機械室内に前記浄水器を脱着可能に配設し、同浄水器に接続される給水管として中間に湾曲部を有したフレキシブルな給水管を採用した場合には、前パネルにて機械室の前方開口を開き、浄水器を機械室から離脱させ、中間に湾曲部を有したフレキシブルな給水管を延ばすようにして浄水器を引き出すことにより、機械室内の浄水器を機械室外に取り出すことができて、浄水器の交換を機械室外にて容易に行うことができる。また、浄水器の交換を機械室外にて行うことができるため、浄水器の交換時に浄水器から機械室内への水の落下を防止することができて、浄水器からの落下水が機械室内の電気部品にかかるのを防止することができる。したがって、機械室内の電気部品に防水対策を施す必要がなく、当該製氷機を安価に製作することができる。
【００１１】
また、前記浄水器の流入側に開閉バルブを設けた場合には、開閉バルブを閉操作することにより浄水器への給水を止めることができるため、浄水器の交換に際して給水源から当該製氷機への給水を止める必要がなく、浄水器の交換を容易かつ素早く行うことができる。
【００１２】
また、前記機械室の前方開口を前パネルによって開閉される構成とし、同機械室の前方開口側に前記浄水器を設けた場合には、前パネルにて機械室の前方開口を開くことにより機械室の前方開口側から浄水器を容易にしかも目視しながら的確に交換することができる。この場合において、前記浄水器の交換可能部（例えばフィルタ）が前記前パネルによって開閉される前方開口に向けて突出するように前記浄水器を傾斜して配設した場合には、機械室内の浄水器近傍に配設した他の部材に邪魔されることなく浄水器の交換可能部を容易かつ素早く交換することができる。
【００１３】
【発明の実施の形態】
以下に、本発明の一実施形態を図面に基づいて説明する。図１〜図１２は本発明をオーガ式製氷機に実施した例を示していて、このオーガ式製氷機は、貯氷庫（図示省略）の上に設置されて使用されるものであり、図１〜図３に示した水供給回路Ａと、図４〜図７に示した冷凍回路Ｂと、図１〜図６に仮想線にて示し図７に実線にて示した製氷部Ｃを備えるとともに、水供給回路Ａ、冷凍回路Ｂ及び製氷部Ｃの各作動を制御する電装箱Ｄ（図４の仮想線及び図８参照）を備えている。水供給回路Ａ，冷凍回路Ｂ及び製氷部Ｃは、図１〜図６に仮想線にて示した機枠９０に組付けられるようになっていて、機枠９０には前パネル９１、後パネル９２、左パネル９３、右パネル９４、上パネル９５及び下パネル９６（図８〜図１２参照）がそれぞれ脱着可能に組付けられて水供給回路Ａ，冷凍回路Ｂ及び製氷部Ｃを収容する機械室Ｒが形成されるようになっており、機枠９０と各パネル９１〜９６によって機器本体Ｅが構成されている。なお、前パネル９１には冷却風導入口９１ａが設けられ（図８参照）、左パネル９３には排熱用の通孔９３ａが設けられ（図９参照）、右パネル９４には排熱用の通孔９４ａが設けられている（図１０参照）。また、上パネル９５には、排熱用の排気孔９５ａと、これのための通路を確保するための突片９５ｂが設けられている（図１１参照）。
【００１４】
図１〜図３に示した水供給回路Ａは、仮想線にて示した製氷部Ｃに製氷用水を順次供給するためのものであり、水道等の給水源（図示省略）に接続される接続具１１と、この接続具１１に給水管１２と手動式の開閉コック１３を介して接続された浄水器１４と、この浄水器１４に手動式のエア抜き用バルブ１５と給水管１６と電磁式の給水バルブ１７を介して接続したリザーバ１８と、このリザーバ１８と製氷部Ｃを接続する給水管１９を備えるとともに、リザーバ１８に設けたオーバーフローパイプ２１を通して排出される水をドレンパン２２に導くパイプ２３と、製氷部Ｃにて生じる結露水をドレンパン２２に導くパイプ２４と、製氷部Ｃから水をドレンパン２２に排出するためのパイプ２５，電磁式の排水バルブ２６及びドレンパイプ２７を備えている。接続具１１は、後パネル９２の上端折り曲げ部９２ａを上下方向に貫通して設けられている（図１１参照）。各給水管１２，１４は、中間に湾曲部を有したフレキシブルな給水管であり、浄水器１４を機械室Ｒから引き出すに足りる長さを有している。
【００１５】
開閉コック１３は、レバー１３ａの傾動によって開閉できる手動式開閉バルブであり、浄水器１４のフィルタ交換時には給水管１２から浄水器１４への給水を止めることができるようになっている。浄水器１４は、オルガノ製Ｄ−７Ａ形の浄水器であり、前パネル９１を機枠９０から外すことにより当該製氷機の正面側、すなわち機械室Ｒの前方開口側からフィルタ交換可能となっていて、浄水器１４の交換可能部すなわちフィルタ収容部１４ａが前パネル９１によって開閉される機械室Ｒの前方開口に向けて突出するように僅かに傾斜してブラケット９７を介して機枠９０に脱着可能に取付けられている。エア抜き用バルブ１５は、浄水器１４の取付時に内部のエアを排出するためのものである。
【００１６】
リザーバ１８は、当該製氷機の製氷運転時に、設定範囲の水位で製氷用水を貯えて製氷部Ｃに製氷用水を順次供給するものであり、内部に配設した水位センサ（図示省略）によって下限水位が検出されると給水バルブ１７が開いて給水がなされ、また水位センサによって上限水位が検出されると給水バルブ１７が閉じて給水が止まるようになっており、これによって浄水器１４と給水バルブ１７を通してリザーバ１８内に製氷用水が間欠的に供給されるようになっている。排水バルブ２６は、当該製氷機の製氷運転停止時に開かれるようになっていて、これにより製氷部Ｃから水がドレンパン２２に排出されるようになっている。なお、ドレンパン２２内の水は、下パネル９６に設けた通孔２８（図１２参照）を通してドレンパン２２の排出口２２ａに接続される排水パイプ（図示省略）を介して機外に排出されるようになっている。
【００１７】
図４〜図７に示した冷凍回路Ｂは、圧縮機３１、空冷式凝縮器３２、水冷式凝縮器３３、受液器３４、ドライヤ３５、膨張弁３６、蒸発パイプ３７を備えるとともに、圧力スイッチ４１、給水弁４２、ファンアンドモータ４３、サーモスタット４４を備えていて、圧縮機３１から吐出される冷媒は空冷式凝縮器３２、水冷式凝縮器３３、受液器３４、ドライヤ３５、膨張弁３６及び蒸発パイプ３７を通って圧縮機３１に還流するようになっている。なお、圧力スイッチ４１とサーモスタット４４はそれぞれ異常検出のために設けられている。
【００１８】
圧縮機３１は、電動式のものであり、冷媒を補給するためのチャージポート３１ａを有している。空冷式凝縮器３２は、電動式ファンアンドモータ４３の作動によって生じる空気流によって冷却されるようになっている。水冷式凝縮器３３は、冷却水導管４５を流れる冷却水によって冷却されるようになっていて、この水冷式凝縮器３３から出た冷媒（通常、４０℃程度に冷却されている）は圧縮機３１のオイルクーラとして利用されるようになっている。
【００１９】
冷却水導管４５は、図４にて示したように一端４５ａにて水供給回路Ａの接続具１１に接続され他端４５ｂにてドレンパン２２に開口していて、浄水器１４に供給される水の一部を水冷式凝縮器３３に分岐して給水可能となっており、中間部には給水弁４２が介装されている。給水弁４２は、圧縮機３１から吐出される冷媒の圧力が設定値以上のときに自動的に開く常閉弁であり、この給水弁４２が開くことにより冷却水導管４５に冷却水が流れるようになっている。
【００２０】
膨張弁３６は、蒸発パイプ３７における出口側の温度を感知して作動する感温式膨張弁であり、感温筒３６ａが蒸発パイプ３７の出口側端部の外周に取付けられている。蒸発パイプ３７は、製氷部Ｃの外周に螺旋状に巻き付けられていて、外周が断熱材３８によって覆われている。なお、膨張弁３６から圧縮機３１の吸込口に至る冷媒配管の外周も断熱材によって覆われている。
【００２１】
製氷部Ｃは、図７にて概略的に示したように、伝熱材料で形成した製氷円筒５１と、この製氷円筒５１内で駆動装置（図示省略）により回転駆動されるオーガ５２とによって構成されていて、製氷円筒５１の内面に作られる氷はオーガ５２の外周に形成した螺旋突条５２ａによって剥ぎ取られながら上方に移送されて押圧ヘッド５３にて圧縮脱水されて緻密氷とされ、氷排出口５４から図６に示した放出ガイド５５（緻密氷を下方に導くガイド）と下方のパネルに設けた落下口５６を通して当該製氷機の下方に配置される貯氷庫（図示省略）に導かれるようになっている。
【００２２】
上記のように構成した本実施形態においては、機械室Ｒ内に浄水器１４を配設したため、浄水器１４は機械室Ｒ内に収容されている冷凍回路Ｂの圧縮機３１、凝縮器３２，３３等構成機器から生じる熱によって保温される。したがって、外気温度が低い場合にも浄水器１４内部の水が凍結することはなく、浄水器１４は常に的確に作動する。
【００２３】
また、本実施形態においては、機械室Ｒ内に浄水器１４を配設するようにしたため、当該製氷機が狭い厨房等小さい設置スペースに貯氷庫（図示省略）とともに設置される場合にも、当該製氷機の機械室Ｒ内に浄水器１４を立てた状態で設置することが可能であり、浄水器１４の機能を十分に発揮させることができるとともに、浄水器１４の付設に伴う配管延長を最小限としてコスト高を最小限に抑えることができる。
【００２４】
また、本実施形態においては、浄水器１４より下流側（リザーバ１８側）に給水バルブ１７が配設されていて、給水管１６内が空気に晒されることがないため、給水管１６内での雑菌の繁殖および雑菌の浄水器１４への侵入および浄水器１４内での雑菌の繁殖を抑制することができる。
【００２５】
また、本実施形態においては、接続具１１にて分岐して冷却水導管４５に冷却水が供給されるように構成したため、当該製氷機の据え付け時、水道等の給水源（図示省略）から接続具１１までの配管工事を行うことで据え付け配管工事を完了することができるため、据え付け配管工事を短時間にかつ容易・安価に行うことができる。
【００２６】
また、本実施形態においては、機械室Ｒ内にブラケット９７を介して浄水器１４を脱着可能に配設し、同浄水器１４に接続される給水管１２，１４として中間に湾曲部を有したフレキシブルな給水管を採用したため、前パネル９１にて機械室Ｒの前方開口を開き、浄水器１４を機械室Ｒから離脱させ、中間に湾曲部を有したフレキシブルな給水管１２，１４を延ばすようにして浄水器１４を引き出すことにより、機械室Ｒ内の浄水器１４を機械室Ｒ外に取り出すことができて、浄水器１４の交換を機械室Ｒ外にて容易に行うことができる。また、浄水器１４の交換を機械室Ｒ外にて行うことができるため、浄水器１４の交換時に浄水器１４から機械室Ｒ内への水の落下を防止することができて、浄水器１４からの落下水が機械室Ｒ内の電気部品にかかるのを防止することができる。したがって、機械室Ｒ内の電気部品に防水対策を施す必要がなく、当該製氷機を安価に製作することができる。
【００２７】
また、本実施形態においては、浄水器１４の流入側に開閉コック１３を設けたため、開閉コック１３を閉操作することにより浄水器１４への給水を止めることができる。したがって、浄水器１４の交換に際して給水源（図示省略）から当該製氷機への給水を止める必要がなく、浄水器１４の交換を容易かつ素早く行うことができる。
【００２８】
また、本実施形態においては、機械室Ｒの前方開口側に浄水器１４を設けたため、前パネル９１にて機械室Ｒの前方開口を開くことにより機械室Ｒの前方開口側から浄水器１４を容易にしかも目視しながら的確に交換することができる。また、浄水器１４のフィルタ収容部１４ａが前パネル９１によって開閉される機械室Ｒの前方開口に向けて突出するように、浄水器１４が傾斜して配設されているため、機械室Ｒ内の浄水器１４近傍に配設した他の部材に邪魔されることなく浄水器１４のフィルタ収容部１４ａを取り外して、フィルタ収容部１４ａ内のフィルタを容易かつ素早く交換することができる。
【００２９】
上記実施形態においては、浄水器１４より下流側（リザーバ１８側）に給水バルブ１７を配設して実施したが、浄水器１４より上流側（給水管１２）に給水バルブ１７を配設して実施することも可能であり、この場合には開閉コック１３を無くして実施することができる。また、上記実施形態においては、本発明をオーガ式製氷機に実施したが、本発明は他の形式の製氷機にも同様に実施し得るものである。
【００３０】
また、上記実施形態においては、前パネル９１を機枠９０に脱着可能に組付けて、機械室Ｒの前方開口を開閉可能としたが、前パネル９１をその一側にて機枠９０に傾動可能（開閉可能）に組付けて、機械室Ｒの前方開口を開閉可能とすることも可能である。また、上記実施形態においては、接続具１１が後パネル９２の上端折り曲げ部９２ａを上下方向に貫通するようにして設けられるようにしたが、接続具１１の配設位置は適宜変更して実施し得るものである。また、上記実施形態においては、浄水器１４に供給される水の一部を水冷式凝縮器３３に分岐して給水するための冷却水導管４５を接続具１１に接続したが、冷却水導管４５の接続部は接続具１１から浄水器１４の流入口に至る部位であればよく、適宜変更して実施し得るものである。
【図面の簡単な説明】
【図１】  本発明を実施したオーガ式製氷機における冷凍回路を省略し水供給回路を示した正面図である。
【図２】  図１に示した水供給回路の左側面図である。
【図３】  図１に示した水供給回路の平面図である。
【図４】  本発明を実施したオーガ式製氷機における水供給回路を省略し冷凍回路を示した正面図である。
【図５】  図４に示した冷凍回路の右側面図である。
【図６】  図４に示した冷凍回路の平面図である。
【図７】  図４に示した冷凍回路の回路図である。
【図８】  図１〜図６に示したオーガ式製氷機の正面図である。
【図９】  図１〜図６に示したオーガ式製氷機の左側面図である。
【図１０】  図１〜図６に示したオーガ式製氷機の右側面図である。
【図１１】  図１〜図６に示したオーガ式製氷機の平面図である。
【図１２】  図１〜図６に示したオーガ式製氷機の底面図である。
【符号の説明】
１１…接続具、１２，１６…フレキシブルな給水管、１３…開閉コック（開閉バルブ）、１４…浄水器、１４ａ…フィルタ収容部（交換可能部）、３１…圧縮機、３２…空冷式凝縮器、３３…水冷式凝縮器、４５…冷却水導管（分岐給水路）、９０…機枠、９１…前パネル、Ａ…水供給回路、Ｂ…冷凍回路、Ｃ…製氷部、Ｅ…機器本体、Ｒ…機械室。
【図１】
0003907085.tif 000002
【図２】
0003907085.tif 000003
【図３】
0003907085.tif 000004
【図４】
0003907085.tif 000005
【図５】
0003907085.tif 000006
【図６】
0003907085.tif 000007
【図７】
0003907085.tif 000008
【図８】
0003907085.tif 000009
【図９】
0003907085.tif 000010
【図１０】
0003907085.tif 000011
【図１１】
0003907085.tif 000012
【図１２】
0003907085.tif 000013